(57)【要約】【課題】  本発明は、処理テープのカートリッジ内部への脱落を防ぎつつ、全盲者への利用に供するようにしたテープカートリッジを提供することを課題とする。【解決手段】  テープ処理に供する処理テープＴと、処理テープＴが内部に収容されると共に外郭を構成する複数の外壁面７４を有するカートリッジケース６２とを備え、テープ処理装置２に着脱自在に装着されるテープカートリッジ５であって、カートリッジケース６２の１の外壁面７４に形成したテープ送出口２１から処理テープＴの繰出し端部をわずかに突出させた状態で扱われるものにおいて、カートリッジケース６２の１の外壁面７４以外の他の１以上の外壁面７４に、内容表示となる点字８６が付されている。【選択図】  図５
2006116823.tif 000002
【特許請求の範囲】
【請求項１】
テープ処理に供する処理テープと、前記処理テープが内部に収容されると共に外郭を構成する複数の外壁面を有するカートリッジケースとを備え、テープ処理装置に着脱自在に装着されるテープカートリッジであって、
前記カートリッジケースの１の外壁面に形成したテープ送出口から前記処理テープの繰出し端部をわずかに突出させた状態で扱われるものにおいて、
前記カートリッジケースの前記１の外壁面以外の他の１以上の外壁面に、内容表示となる点字を付したことを特徴とするテープカートリッジ。
【請求項２】
前記他の１以上の外壁面は、把持する際の一対の把持用の外壁面、および前記テープ処理装置に装着する際の押込み用の外壁面、のうち少なくとも１つの外壁面であることを特徴とする請求項１に記載のテープカートリッジ。
【請求項３】
前記カートリッジケースには、互換性を有すると共に輪郭形状の異なる複数種類のものが存在し、
前記他の１以上の外壁面は、異なる前記輪郭形状部分を形成する少なくとも１つの外壁面であることを特徴とする請求項１または２に記載のテープカートリッジ。
【請求項４】
前記点字は、前記処理テープのテープ幅、前記処理テープのテープ色、前記テープ処理の内容、および前記処理テープが前記テープ処理の対象物である旨、の内容表示のうち少なくとも１つを表示することを特徴とする請求項１ないし３のいずれかに記載のテープカートリッジ。
【請求項５】
前記カートリッジケースには、前記テープ処理に供するインクリボンが更に収容され、
前記内容表示には、前記インクリボンのリボン色が含まれることを特徴とする請求項４に記載のテープカートリッジ。
【請求項６】
前記点字は、前記カートリッジケースと一体に成形されることを特徴とする請求項１ないし５のいずれかに記載のテープカートリッジ。
【請求項７】
前記点字は、前記カートリッジケースに貼着したラベルに形成されていることを特徴とする請求項１ないし５のいずれかに記載のテープカートリッジ。
【請求項８】
請求項１ないし７のいずれかに記載のテープカートリッジが着脱自在に装着され、
前記テープ処理として印刷処理および点字打刻処理のうち少なくとも一方を前記処理テープに行うことを特徴とするテープ処理装置。
【請求項９】
全盲者がデータ入力可能な情報処理装置に接続するインターフェースを、更に備えたことを特徴とする請求項８に記載のテープ処理装置。
【発明の詳細な説明】
【技術分野】
【０００１】
本発明は、印刷テープ等の処理テープを収容したテープカートリッジおよびこれが着脱自在に装着されるテープ処理装置に関するものである。
【背景技術】
【０００２】
従来、ディスクや磁気テープといった記録媒体のカートリッジに、記録媒体に記録された楽音信号や映像信号等の内容を表す点字を付したラベルを貼着したものが知られている（例えば、特許文献１参照）。
一方、テープ処理装置（印刷装置や点字打刻装置）に着脱自在に装着され、テープ送出口から処理テープの繰出し端部をわずかに突出させた状態で取り扱われるテープカートリッジに対して、点字を付したものは知られていない。
【特許文献１】特開平５−１５９５２０号公報
【０００３】
ところで、処理テープに文字等の印刷を行う印刷装置や点字を打刻する点字打刻装置であって、特にパソコンとリンク可能なものにおいては、全盲者（視覚障害者）でもブラインドタッチで入力することにより十分に使用可能であり、テープカートリッジに点字を付せば、全盲者でも積極的に印刷ラベルや点字ラベルの作成が可能となる。
【発明の開示】
【発明が解決しようとする課題】
【０００４】
しかし、上記のように処理テープの繰出し端部を突出させて扱われるカートリッジでは、単に点字を付すと、全盲者が点字を触読する際に、誤って処理テープの繰出し端部をカートリッジ内部に押し込み、処理テープを繰出し不能（使用不能）にしてしまうおそれがある。
【０００５】
本発明は、処理テープのカートリッジ内部への脱落を防ぎつつ、全盲者への利用に供するようにしたテープカートリッジおよびこれが着脱自在に装着されるテープ処理装置を提供することを課題としている。
【課題を解決するための手段】
【０００６】
本発明のテープカートリッジは、テープ処理に供する処理テープと、処理テープが内部に収容されると共に外郭を構成する複数の外壁面を有するカートリッジケースとを備え、テープ処理装置に着脱自在に装着されるテープカートリッジであって、カートリッジケースの１の外壁面に形成したテープ送出口から処理テープの繰出し端部をわずかに突出させた状態で扱われるものにおいて、カートリッジケースの１の外壁面以外の他の１以上の外壁面に、内容表示となる点字を付したことを特徴とする。
【０００７】
この構成によれば、カートリッジケースの外壁面に付された点字により、全盲者（視覚障害者）でもカートリッジの内容を容易に把握することができる。また、テープ送出口を形成した１の外壁面以外の他の外壁面に点字が付されるため、全盲者が点字を触読する際に誤って繰出し端部を押し戻してしまうことを防止することができる。したがって、処理テープのカートリッジ内部への脱落を防ぎつつ、テープカートリッジを全盲者にも利用可能にすることができる。
【０００８】
この場合、他の１以上の外壁面は、把持する際の一対の把持用の外壁面、およびテープ処理装置に装着する際の押込み用の外壁面、のうち少なくとも１つの外壁面であることが、好ましい。
【０００９】
この構成によれば、テープカートリッジを取り扱う際に必ず触れる面に点字を付すことができるため、全盲者が点字の存在に気がつき易くすることができる。また、点字の触読と、テープカートリッジの装着とを同時に行うことができる。
【００１０】
この場合、カートリッジケースには、互換性を有すると共に輪郭形状の異なる複数種類のものが存在し、他の１以上の外壁面は、異なる輪郭形状部分を形成する少なくとも１つの外壁面であることが、好ましい。
【００１１】
通常、全盲者は、複数種のテープカートリッジ間において輪郭形状が異なる場合には、それを手掛かりにテープカートリッジを区別することが考えられる。
この構成によれば、印刷用テープカートリッジのカートリッジケースと、点字打刻用テープカートリッジのカートリッジケースとの輪郭形状が異なり、それを手掛かりに判別しようとする全盲者が点字に触れることができるため、より一層全盲者が点字に気がつき易くすることができる。
【００１２】
この場合、点字は、処理テープのテープ幅、処理テープのテープ色、テープ処理の内容、および処理テープがテープ処理の対象物である旨、の内容表示のうち少なくとも１つを表示することが、好ましい。
【００１３】
また、この場合、カートリッジケースには、テープ処理に供するインクリボンが更に収容され、内容表示には、インクリボンのリボン色が含まれることが、好ましい。
【００１４】
これらの構成によれば、全盲者は、点字によって表された処理テープ（およびインクリボン）の内容表示を触読することができ、用途に応じてテープカートリッジを使い分けることができる。
【００１５】
この場合、点字は、カートリッジケースと一体に成形されることが、好ましい。
【００１６】
この構成によれば、カートリッジケースの成形と一括して、簡単に点字を形成することができる。
【００１７】
この場合、点字は、カートリッジケースに貼着したラベルに形成されていることが、好ましい。
【００１８】
この構成によれば、カートリッジケースの形態を変更することなく、カートリッジケースに異なる内容表示の点字を、簡単に付すことができる。
【００１９】
本発明のテープ処理装置は、上記のテープカートリッジが着脱自在に装着され、テープ処理として印刷処理および点字打刻処理のうち少なくとも一方を処理テープに行うことを特徴とする。
【００２０】
この構成によれば、全盲者であっても、内容表示に従いテープカートリッジを使い分けることができ、用途に応じて効率的にテープ処理、すなわち処理テープに印刷や点字打刻を行うことができる。
【００２１】
この場合、全盲者がデータ入力可能な情報処理装置に接続するインターフェースを、更に備えたことが、好ましい。
【００２２】
この構成によれば、情報処理装置を介して全盲者がデータ入力可能となり、一層効率的にテープ処理を行うことができる。この場合、情報処理装置として、キーボードを用いたブラインドタッチによりデータ入力する構成の他、予めインストールした音声入力ソフトを用いてデータ入力する構成が考えられる。また、インターフェースの接続形態は、有線・無線のいずれであってもよい。
【発明を実施するための最良の形態】
【００２３】
以下、添付の図面を参照して、本発明に係るテープカートリッジおよびテープ処理装置を適用したテープ処理システムについて説明する。このテープ処理システムは、印刷・打刻複合装置（テープ処理装置：以下「複合装置」という）を全盲者（視覚障害者）にも使用を促進できるように構成したものである。
【００２４】
図１を参照してテープ処理システム１について説明する。テープ処理システム１は、処理テープ（印刷テープＴａ、点字テープＴｂ）に印刷処理および点字打刻処理を行う複合装置２と、ユーザがデータ入力可能な情報処理装置３（パーソナルコンピュータ）と、をケーブル４で接続してハードウェアを構成すると共に、情報処理装置３にインストールした専用ソフトウェアにより、情報処理装置３と複合装置２とをリンクさせ、複合装置２に装着されたテープカートリッジ５の処理テープに印刷処理や点字打刻処理を行ってラベルを作製するものである。
【００２５】
テープカートリッジ５には、大別して２種類のものが用意されている。第１カートリッジ５Ａは、印刷処理の処理対象物である印刷テープＴａ（処理テープ）を巻回して収容したものであり、第２カートリッジ５Ｂは、印刷処理および点字打刻処理の処理対象物である点字テープＴｂ（処理テープ）を巻回して収容したものである。そして、これら第１カートリッジ５Ａおよび第２カートリッジ５Ｂには、点字が付されており（図５参照）、全盲者でも違和感なく使用できるようになっている（詳細は後述する）。
【００２６】
複合装置２は、装置ケース１２により外郭が形成され、装置ケース１２の内部には印刷テープＴａに墨字を印刷する印刷部１３および点字の打刻処理を行う打刻部１４の主装置が内蔵されている。印刷部１３は、複合装置２の主要部を構成し、打刻部１４は、複合装置２の右後部に組み込まれている。
【００２７】
印刷部１３の前部上面には各種入力キーを備えた専用キーボード１５が配設され、後部上面には開閉蓋１６が取り付けられると共にこの開閉蓋の表面にディスプレイ（図示省略）が配設されている。開閉蓋１６の内側にはテープカートリッジ５が装着されるカートリッジ装着部１７が窪入形成されている。また、開閉蓋１６の左部にはこれを閉止した状態で第１カートリッジ５Ａの装着／非装着を視認するための覗き窓１８が形成されている。なお、装置ケース１２の右側面には、電源供給のための電源供給口（図示省略）および上記のケーブル４に接続するためのメス型コネクタ（インターフェース４７、図３参照）が設けられている。
【００２８】
また、装置ケース１２の左側面には、カートリッジ装着部１７と装置外部とを連通するテープ排出口２１が形成され、これにケース内部から図示しない切断部が臨んでいる。この切断部には、モータ駆動で印刷テープＴａ（点字テープＴｂ）をフルカットするフルカッタと、同じくモータ駆動で印刷テープＴａをハーフカットするハーフカッタと、が組み込まれている。
【００２９】
カートリッジ装着部１７には、ヘッドカバー１９内にサーマルヘッドである印刷ヘッド２２（図４参照）を収容したヘッドユニット２３と、印刷ヘッド２２に対峙するプラテン駆動軸（図示省略）と、後述のインクリボンＲ（図４参照）を巻き取る巻取り駆動軸（図示省略）と、テープリール２４（図４参照）の位置決め突起２５と、が突設されている。また、カートリッジ装着部１７の下側空間には、プラテン駆動軸および巻取り駆動軸を回転させる印刷送りモータ２６（図３参照）および動力伝達機構（図示省略）が内蔵されている。
【００３０】
カートリッジ装着部１７にテープカートリッジ５が装着されると、テープカートリッジ５の後述する貫通開口２７にヘッドユニット２３が、テープリール２４に位置決め突起２５が、リボン巻取りリール２８に巻取り駆動軸が、プラテンローラ３２にプラテン駆動軸が、それぞれ差し込まれ、印刷テープＴａ（点字テープＴｂ）およびインクリボンＲを挟み込んで印刷ヘッド２２がプラテンローラ３２に当接して墨字印刷が可能になる（いずれも図４参照）。そして、プラテンローラ３２により送られる印刷テープＴａに対し、入力した墨字データに基づき印刷ヘッド２２が印刷駆動することにより、墨字の印刷処理が行われる。印刷処理後の印刷テープＴａ（点字テープＴｂ）は、上記の切断部によって切断処理（フルカット、ハーフカット）され、テープ排出口２１から装置外部に送り出される。なお、点字打刻を行う場合には、この切断された点字テープＴｂを手差しで打刻部１４に送り込むようにする。
【００３１】
打刻部１４には、図２に示すように装置フレームに打刻ユニット３３およびテープ送り機構３４を組み込んだ主装置を構成する点字打刻アッセンブリ３５が内蔵されている。打刻ユニット３３は、３個のソレノイド３６を駆動源として、これにより打刻動作する３個の打刻ピン４２を有し、テープ送り機構３４によりテープ導入口３７からテープ導出口３８に至るテープ走行路４１上を送られていく点字テープＴｂに対し、３個の打刻ピン４２を選択的に駆動し、点字４３（複数の打刻凸部）を打刻形成する。この場合、各ソレノイド３６とこれに対応する打刻ピン４２との間には、回動リンク４４が連結されており、ソレノイド３６の吸引動作（励磁）で回動リンク４４が打刻ピン４２を突き上げることにより、点字テープＴｂへの点字打刻が行われる。なお、３個のソレノイド３６は、時間差をおいて駆動するようになっている。
【００３２】
次に、本実施形態のテープ処理システム１の制御構成について、図３を参照して説明する。テープ処理システム１は、ユーザインターフェースとなる情報処理装置３と、印刷処理を行う上記の印刷部１３と、点字打刻を行う上記の打刻部１４と、各部を駆動する駆動部４５と、各部と接続され複合装置２全体を制御する制御部４６と、情報処理装置３および複合装置２の制御部４６を接続するインターフェース４７と、によって構成されている。
【００３３】
情報処理装置３は、パソコンで構成され、ＪＩＳ規格に対応したキーボード４８、本体５１、ディスプレイ４９等を有している。本体５１には、ディスプレイ４９に入力編集画面を表示する入力編集プログラムがインストールされており、この入力編集プログラムには、各種の処理モード（第１処理モード：墨字のみ、第２処理モード：点字のみ、第２処理モード：墨字・点字併記）が用意されている。入力編集プログラムは、所定の手順に従ってユーザにデータ入力させ、複合装置２におけるテープ処理の元となるテキストデータを作成する。テキストデータは、印刷する文字情報である文字データの他、各処理モードを識別する識別データ等で構成されている。なお、インターフェース４７は、複合装置２と情報処理装置３とを物理的に接続するケーブル４（図１参照）を有しているが、情報の入出力は無線によるものでもよい。
【００３４】
駆動部４５は、印刷ヘッド２２を駆動するヘッドドライバ５２、および印刷送りモータ２６を駆動する印刷送りモータドライバ５３に加え、打刻部１４内のソレノイド３６および打刻ピン４２を駆動する打刻ドライバ５４、打刻部１４内の打刻送りモータ５５を駆動する打刻送りモータドライバ６０をさらに有し、これら各種のアクチュエータ（ソレノイドおよびモータ）を駆動する。なお、切断部を駆動するカッタモータドライバは省略している。
【００３５】
制御部４６は、ＣＰＵ５６、ＲＯＭ５７、ＲＡＭ５８および入出力制御装置５９（以下、「ＩＯＣ：Input Output Controller」という）を備え、互いに内部バス６１により接続されている。ＲＯＭ５７は、印刷処理や点字打刻処理等の各種処理をＣＰＵ５６で制御するための制御プログラムを記憶する制御プログラムブロック５７ａと、墨字印刷を行うための文字フォントデータ、文字サイズデータ、点字打刻を行うための点字フォントデータ、および点字データの打刻制御のための制御データ等を記憶している制御データブロック５７ｂと、情報処理装置３から送られるテキストデータを墨字データおよび点字データの少なくとも一方に変換する変換プログラムを記憶している変換プログラムブロック５７ｃと、を有している。
【００３６】
ＲＡＭ５８は、フラグ等として使用される各種ワークエリアブロック５８ａの他、生成された墨字データを記憶する墨字データブロック５８ｂと、生成された点字データを記憶する点字データブロック５８ｃと、を有し、制御処理のための作業領域として使用される。また、ＲＡＭ５８は電源が切断されても記憶したデータを保持しておくように常にバックアップされている。
【００３７】
ＩＯＣ５９には、ＣＰＵ５６の機能を補うと共に各種周辺回路とのインターフェース信号を取り扱うための論理回路が、ゲートアレイやカスタムＬＳＩなどにより構成されて組み込まれている。これにより、ＩＯＣ５９は、専用キーボード１５からの入力データや制御データをそのまま或いは加工して内部バス６１に取り込むと共に、ＣＰＵ５６と連動して、ＣＰＵ５６から内部バス６１に出力されたデータや制御信号を、そのまま或いは加工して駆動部４５に出力する。
【００３８】
そして、ユーザ（全盲者）が、情報処理装置３の本体５１に対し、入力編集プログラムに従って、キーボード４８を介したブラインドタッチによりデータ入力を行い印刷処理および点字打刻処理の開始を指示すると、本体５１側に一時的に保存されていたテキストデータが複合装置２側のＣＰＵ５６に送信され、これと同時に、ＣＰＵ５６においては、ＲＯＭ５７から読み出した制御プログラムおよび変換プログラムが起動する。
【００３９】
変換プログラムは、テキストデータのうち上記した識別データをＣＰＵ５６に読み出し、テキストデータ中の文字データを墨字データおよび点字データのいずれか一方または両方に変換して制御プログラムに提供する。制御プログラムは、このデータに基づいて制御信号をＩＯＣ５９を介して駆動部４５に出力する。このようにして、制御信号を受けた駆動部４５のヘッドドライバ５２および打刻ドライバ５４は印刷部１３および打刻部１４を直接駆動し、印刷テープＴａ（点字テープＴｂ）に対して印刷処理および点字打刻処理を行う。なお、いうまでもないが、情報処理装置３を介することなく、複合装置２の専用キーボード１５からデータ入力し、各種の操作を行うことも可能である。
【００４０】
次に図１および図４を参照して、第１カートリッジ５Ａおよび第２カートリッジ５Ｂについて説明する。第１カートリッジ５Ａは、第１カートリッジケース６２に印刷テープＴａを繰出し自在に収容すると共に、インクリボンＲを繰出し且つ巻取り自在に収容して、構成されている。印刷テープＴａは、裏面に粘着剤層（図示省略）が設けられた記録テープ６３と、この粘着剤層により記録テープ６３に貼付された剥離テープ６４とで構成されている。剥離テープ６４は、記録テープ６３をラベルとして使用する時まで粘着剤層に埃などが付着しないようにするためのものであって、表面にシリコン処理がなされた上質紙などで構成されている。なお、印刷テープＴａには、６ｍｍ、１２ｍｍ、１８ｍｍ、２４ｍｍおよび３６ｍｍ等の複数種のテープ幅を有するものの他、印刷テープＴａのテープ色、インクリボンＲのインク色等においても複数種のものが用意されている。
【００４１】
第２カートリッジ５Ｂは、第２カートリッジケース６５に点字テープＴｂを繰出し自在に収容すると共に、インクリボンＲを繰出し且つ巻取り自在に収容して、構成されている。点字テープＴｂは、印刷テープＴａと同じ構成の記録テープ６３と、印刷テープＴａとは異なる点字用剥離テープ６６と、から構成されている。
【００４２】
点字テープＴｂの点字用剥離テープ６６は、打刻ピン４２による打刻力を記録テープ６３に無駄なく伝達すると共に、上記粘着剤層を埃等から保護するものであり、その剥離基材層は、印刷テープＴａの剥離テープ６４に比して衝撃吸収力の小さいポリエチレン／ポリプロピレン共重合体で構成されている。なお、点字テープＴｂには、１２ｍｍ、および２４ｍｍのテープ幅を有するものの他、テープ種別（テープ色、墨字インク色など）が異なる複数種のものが用意されている。
【００４３】
図４（ａ）は、第１カートリッジ５Ａの内部構造を示す断面図であり、図４（ｂ）は、第２カートリッジ５Ｂの内部構造を示す断面図である。両図に示すように、第１カートリッジ５Ａおよび第２カートリッジ５Ｂは、上記した印刷テープＴａおよび点字テープＴｂの違いがあるものの、同一の内部構造を有し互換性を有している。第１カートリッジ５Ａを例に説明すると、第１カートリッジ５Ａは、外郭を構成する第１カートリッジケース６２の内部に、印刷テープＴａを巻回したテープリール２４と、右下部に印刷テープＴａと略同幅のインクリボンＲを巻回したリボン繰出しリール６７およびリボン巻取りリール２８とを収容し、且つ左下部にプラテンローラ３２を収容して構成されている。なお、テープリール２４に巻回した印刷テープＴａは、その繰出し端部６８を、第１カートリッジケース６２の左側壁面７４ｃ（１の外壁面、図５参照）に形成したテープ送出スリット７２（テープ送出口）からわずかに突出させたまま第１カートリッジケース６２に収容されている。
【００４４】
テープリール２４の図示左下部には、上記したヘッドユニット２３に差し込むための貫通開口２７が形成されており、印刷テープＴａとインクリボンＲとが重なる部分に対応して、装置側のプラテン駆動軸に嵌合するプラテンローラ３２が配置されている。リボン繰出しリール６７から繰り出されたインクリボンＲは、貫通開口２７を構成する開口部壁７３を周回するように送られリボン巻取りリール２８に巻き取られる。そして、テープリール２４から繰り出された印刷テープＴａは、リボン繰出しリール６７から繰り出されたインクリボンＲとプラテンローラ３２の位置で重合し、印刷ヘッド２２の熱転写による印刷を受ける。印刷後の印刷テープＴａは、テープ送出スリット７２から送り出され、インクリボンＲは、リボン巻取りリール２８に巻き取られる。
【００４５】
図５に示すように、第１カートリッジケース６２と第２カートリッジケース６５とは、いずれも前壁面７４ａ、後壁面７４ｂ、左側壁面７４ｃ、右側壁面７４ｄ、上壁面７４ｅおよび下壁面７４ｆからなる６つの外壁面７４でその外観が形成されているものの、相互に異なる輪郭形状（平面形状）に形成されている。第１・第２両カートリッジケース６２、６５は、２分割された上ケース８２（蓋ケース）および下ケース８３（本体ケース）から成り、それぞれ樹脂の成形品で形成されている。そして、第１・第２両カートリッジケース６２、６５間で、上ケース８２が同一の形状（形態）に形成され、下ケース８３が異なる形状（形態）に形成されている。
【００４６】
第１カートリッジケース６２は、上ケース８２および下ケース８３のいずれも、テープリール２４廻りの主収容部８４がＲ形状に形成され、全体として丸みを帯びた平面視「太Ｌ」字状の平面形状（外観形状）に形成されている。なお、下ケース８３は着色された樹脂で、上ケース８２は透明な樹脂でそれぞれ形成されている。
【００４７】
第２カートリッジケース６５は、上ケース８２が第１カートリッジケース６２と同一の形状（形態）に形成される一方、形状の異なる下ケース８３がテープリール２４廻りの主収容部８４を略方形に形成し、全体として角ばった平面視「太Ｌ」字状の平面形状（外観形状）に形成されている。したがって、第１カートリッジケース６２と第２カートリッジケース６５とは、その着脱方向に直交する平面内において主収容部８４の輪郭形状が異なるように形成されている。
【００４８】
このように構成された第１カートリッジ５Ａおよび第２カートリッジ５Ｂは、上ケース８２を上にし下ケース８３を下にした姿勢で、それぞれカートリッジ装着部１７に上側から装着される。
【００４９】
次に、第１カートリッジ５Ａおよび第２カートリッジ５Ｂに付された点字について説明する。点字は、全盲者がこの点字を触読する際に繰出し端部６８を押し戻してしまうことを防止するため、第１カートリッジケース６２および第２カートリッジケース６５の左側壁面７４ｃ以外の前壁面７４ａ、後壁面７４ｂ、右側壁面７４ｄ、上壁面７４ｅおよび下壁面７４ｆのうち、少なくとも１の面に付すようにしている。なお、図５では、紙面の左側が「後」、右側が「前」となる。
【００５０】
本実施形態の場合には、点字８６、８７は、把持する際の一対の把持用の外壁面７４となる前壁面７４ａおよび後壁面７４ｂのうち後壁面７４ｂと、複合装置２のカートリッジ装着部１７に装着する際の押込み用の外壁面７４である上壁面７４ｅと、にそれぞれ付され（形成され）ている。後壁面７４ｂに付された点字８６は、第１・第２両カートリッジ５Ａ、５Ｂの下ケース８３を成形する際に同時に成形され、下ケース８３（カートリッジケース）と一体に形成されている。また、上壁面７４ｅに付された点字は８７、第１・第２両カートリッジ５Ａ、５Ｂの上ケース８２に貼着する帯状ラベル８５に形成されている。これにより、ユーザ（全盲者）がテープカートリッジ５を手に持って複合装置２に装着するときに、点字を自然に触読できるようになっている。
【００５１】
より具体的には、第１・第２両カートリッジ５Ａ、５Ｂの後壁面７４ｂの下ケース８３には、内容表示である印刷テープＴａ（点字テープＴｂ）の１２ｍｍのテープ幅を示す点字「１２」８６が付されている。本実施形態では、１２ｍｍのテープ幅を有する印刷テープＴａを収容するテープカートリッジ５を例に説明しているが、２４ｍｍのテープ幅を有する印刷テープＴａを収容するテープカートリッジ５には、点字「２４」が付される。なお、印刷テープＴａのテープ幅が異なる複数種のカートリッジ間においては、そのテープ幅に応じて深さの異なる下ケース８３が用いられ、上ケース８２は、同一のものが使用されている。また、後壁面７４ｂは、第１カートリッジ５Ａおよび第２カートリッジ５Ｂ間において、異なる輪郭形状部分を形成する外壁面７４となるため、全盲者がこれを手掛かりに第１カートリッジ５Ａおよび第２カートリッジ５Ｂを区別する場合に、点字８６に触れやすいようになっている。
【００５２】
帯状ラベル８５には、図６の展開図に示すように、印刷テープＴａ（点字テープＴｂ）のテープ幅である１２ｍｍを示す数字「１２」を表す点字８７（同図（ａ））、印刷テープＴａ（点字テープＴｂ）のテープ色を示す「白」を表す点字８８（同図（ｂ））、点字打刻処理（テープ処理）の内容および点字テープＴｂが点字打刻処理（テープ処理）の対象物である旨を示す「点字」を表す点字８９（同図（ｃ））、のいずれかを形成するようにしている。
【００５３】
また、同図（ｄ）に示すように、上下２段に亘って、数字「１２」を表す点字８７と、「点字」を表す点字８９とを帯状ラベル８５に形成してもよい。なお、この場合において、図示省略したが、上段に印刷テープＴａ（点字テープＴｂ）のテープ色を表す点字を表示し、下段にインクリボンＲのリボン色を表示するようにしてもよい。このように帯状ラベル８５を介してテープカートリッジ５に点字を付すことにより、第１・第２両カートリッジケース６２、６５の形態を変更することなく、異なる内容表示の点字を第１・第２両カートリッジケース６２、６５に簡単に付すことができる。なお、上記の後壁面７４ｂにおいても点字を形成したラベルを貼着することで、テープカートリッジ５に点字を付すことが可能である。
【００５４】
以上のように、本実施形態によれば、テープ送出スリット７２（テープ送出口）を形成した左側壁面７４ｃを外して後壁面７４ｂおよび上壁面７４ｅに点字を付すようにしているため、全盲者でも晴眼者と同様にテープカートリッジ５を扱うことができると共に、全盲者が点字を触読する際に誤って繰出し端部６８を押し戻してしまうことを防止することができる。したがって、印刷テープＴａ（点字テープＴｂ）のカートリッジ内部への脱落を防ぎつつ、テープカートリッジ５を全盲者にも利用可能にすることができる。
【００５５】
なお、点字の表示内容やこれを付すカートリッジケースの外壁面７４（左側壁面７４ｃを除く）は、実施形態に限定されるものではない。また、本実施形態では、全盲者がブラインドタッチによって、キーボード４８からデータ入力するようにしているが、市販の音声入力ソフトを使用した音声入力によりデータ入力することも可能である。この場合には、ブラインドタッチができない全盲者であっても、データ入力することができるため、テープカートリッジ５をより多くの全盲者の使用に供するようにすることができる。
【図面の簡単な説明】
【００５６】
【図１】テープ処理システムの説明図である。
【図２】（ａ）点字打刻アッセンブリの平面図、（ｂ）点字打刻アッセンブリの側面図である。
【図３】テープ処理システムの制御構成を示すブロック図である。
【図４】（ａ）第１カートリッジの内部構造を示す断面図、（ｂ）第２カートリッジの内部構造を示す断面図である。
【図５】（ａ）第１カートリッジの外観形状を示す斜視図、（ｂ）第２カートリッジの外観形状を示す斜視図である。
【図６】（ａ）テープ幅を点字表示した帯状ラベル、（ｂ）テープ色を点字表示した帯状ラベル、（ｃ）テープ処理の内容および処理対象物である旨を点字表示した帯状ラベル、および（ｄ）２段表記した帯状ラベル、の展開図である。
【符号の説明】
【００５７】
２  複合装置                    ３  情報処理装置
５  テープカートリッジ        ４７  インターフェース
６２  第１カートリッジケース    ６５  第２カートリッジケース
６８  繰出し端部                ７２  テープ送出スリット
７４  外壁面                    ８５  帯状ラベル
Ｔａ  印刷テープ                Ｔｂ  点字テープ
Ｒ  インクリボン
【図１】
2006116823.tif 000003
【図２】
2006116823.tif 000004
【図３】
2006116823.tif 000005
【図４】
2006116823.tif 000006
【図５】
2006116823.tif 000007
【図６】
2006116823.tif 000008